(57)【要約】【課題】  セットの向きにかかわらず、認識用の表示部を確実に読み取ることができるようにする。【解決手段】  紙葉類処理装置に用いられ、紙葉類を複数枚重ね合わせた複数の紙葉類の先頭にそれぞれ重ね合わされてセットされもので、ヘッダーカードであることを表示し読取認識される標識部６０を有するとともに、複数の紙葉類の情報を表示し標識部６０が読取認識されるのに基づいて読み取られるバーコード４１ａ有するヘッダーカードにおいて、標識部６０及びバーコード４１ａは両面にそれぞれ記録され、かつ、標識部６０はセットの方向性にかかわらず、読取り認識が可能な部位に記録される。【選択図】      図６
2007140940.tif 000002
【特許請求の範囲】
【請求項１】
紙葉類処理装置に用いられ、紙葉類を複数枚重ね合わせた複数の紙葉類毎の先頭にそれぞれ重ね合わされてセットされるもので、ヘッダーカードであることを表示し読取認識される第１の表示部を有するとともに、前記複数の紙葉類の情報を表示し前記第１の表示部が読取認識されるのに基づいて読み取られる第２の表示部を有するヘッダーカードにおいて、
前記第１及び第２の表示部は両面にそれぞれ記録され、かつ、前記第１の表示部はセットの方向性にかかわらず、読取り認識が可能な部位に記録されたことを特徴とするヘッダーカード。
【請求項２】
前記第１の表示部は、重心に対し点対称に配置されたことを特徴とする請求項１記載のヘッダーカード。
【請求項３】
前記第１の表示部は前記紙葉類の反射率とは異なる反射率を有し、光学的に読み取られることを特徴とする請求項１記載のヘッダーカード。
【請求項４】
前記第１の表示部は特有の磁気量を有し、磁気的に読み取られることを特徴とする請求項１記載のヘッダーカード。
【請求項５】
紙葉類処理装置に用いられ、紙葉類を複数枚重ね合わせた複数の紙葉類毎の先頭にそれぞれ重ね合わされてセットされるもので、ヘッダーカードであることを表示し読取認識される第１の表示部を有するとともに、前記複数の紙葉類の情報を表示し前記第１の表示部が読取認識されるのに基づいて読み取られる第２の表示部を有するヘッダーカードにおいて、
前記紙葉類と物理的特性を異にすることを特徴とするヘッダーカード。
【請求項６】
前記複数の紙葉類の外形寸法よりも外形寸法を大とすることを特徴とする請求項５記載のヘッダーカード。
【請求項７】
前記紙葉類の搬送方向の寸法よりも搬送方向の寸法を大とすることを特徴とする請求項６記載のヘッダーカード。
【請求項８】
前記複数の紙葉類の剛性よりも剛性を大とすることを特とする請求項５記載のヘッダーカード。
【請求項９】
表面に識別用の凹部或いは凸部を有したことを特徴とする請求項５記載のヘッダーカード。
【発明の詳細な説明】
【技術分野】
【０００１】
本発明は、例えば、紙幣などの紙葉類を計数するとともに、その種類に応じて区分集積する紙幣整理機に用いられるヘッダーカードに関する。
【背景技術】
【０００２】
この種の紙幣整理機では、袋や封筒に入れられて送られてくる紙幣を袋や封筒から取り出して取込部にセットし、このセットされた紙幣を１枚ずつ取り出して判別部に送り、ここで、その券種を判定するとともに、判定結果を集計することによって合計金額を得るようになっている。
【０００３】
計数する紙幣は例えばスーパーマーケット等の銀行顧客から銀行に対する入金現金であり、入金伝票が添付されるか、あるいは袋や封筒に口座番号や金額といった情報が記入されている。紙幣整理機では、袋または封筒の単位で紙幣の計数結果と入金伝票の金額を比較確認する。
【０００４】
従来、計数を入金毎に行う方法としては、１入金毎に袋や封筒を開封して紙幣を取り出し、この取り出した紙幣を取込部にセットして入金伝票の内容をインプットし、計数処理を行う方法がある。
【０００５】
しかしながら、この方法では、装置のオペレータが袋や封筒を開封し、紙幣をセットする間は計数装置が停止した状態となるため、スループットが低くなるという問題があった。
【０００６】
そこで、予め入金伝票の内容との関係を登録した番号をバーコード等にて印刷したヘッダーカードを各入金間に挟んだ状態で取込部にセットし、このセットした紙幣を連続的に取込んで計数している。即ち、ヘッダーカードを入金の区切りとして認識し、かつ表面のバーコードを読み取って計数と対応させることで、個別の計数を得る方法が考えられている。
【０００７】
ところで、ヘッダーカードにはバーコードとともに、ヘッダーカードであることを認識させるための認識用の表示部が記録されている。この認識用の表示部が鑑査部で読み取られてヘッダーカードであることが認識された媒体のバーコードのみがバーコードリーダによって読み取られて上位のデータベースサーバに送信されるようになっている。
【０００８】
即ち、認識用の表示部はヘッダーカード上のバーコード認識の精度を上げるためのものである（例えば、特許文献１参照。）。
【０００９】
なお、ヘッダーカードはバーコードリーダでバーコードが読み取られたのちは、リジェクト庫にリジェクトされる。また、ヘッダーカードに後続する紙幣のうち鑑査部でリジェクトすべきものであると判別された紙幣は、ヘッダーカードに続いてリジェクト庫にリジェクトされる。このリジェクトされた紙幣の入金処理はリジェクト処理ステーションにおいて手入力作業で行なわれる。
【特許文献１】特開２００２−３３４３６２号公報
【発明の開示】
【発明が解決しようとする課題】
【００１０】
しかしながら、従来においては上記したバーコードや、カード認識用の表示部がヘッダーカードの片面側にしか記録されていなかったため、ヘッダーカードの向きが間違えてセットされると、カード認識用の表示部を読み取れなくなる。これにより、バーコードがバーコードリーダによって読み取られなくなり、ヘッダーカードによって区切られる口座単位がなくなってしまう。このため、なくなった口座分の入金処理が全てリジェクト処理ステーションでの手入力作業となり、処理効率が大きく低下してしまうという問題があった。
【００１１】
また、ヘッダーカードの外形寸法や剛性や触感などの物理的特性が紙幣と同様であったため、紙幣との分別が困難で、リジェクト手入金処理ステーションでの手入力処理時に入金金額を間違える恐れがある。
【００１２】
本発明は上記事情に着目してなされたもので、その目的とするところは、セットの向きにかかわらず、認識用の表示部を確実に読み取ることができ、また、紙葉類との分別が容易なヘッダーカードを提供することにある。
【課題を解決するための手段】
【００１３】
上記課題を解決するため、請求項１記載のものは、紙葉類処理装置に用いられ、紙葉類を複数枚重ね合わせた複数の紙葉類毎の先頭にそれぞれ重ね合わされてセットされるもので、ヘッダーカードであることを表示し読取認識される第１の表示部を有するとともに、前記複数の紙葉類の情報を表示し前記第１の表示部が読取認識されるのに基づいて読み取られる第２の表示部を有するヘッダーカードにおいて、前記第１及び第２の表示部は両面にそれぞれ記録され、かつ、前記第１の表示部はセットの方向性にかかわらず、読取り認識が可能な部位に記録される。
【００１４】
請求項５記載のものは、紙葉類処理装置に用いられ、紙葉類を複数枚重ね合わせた複数の紙葉類毎の先頭にそれぞれ重ね合わされてセットされるもので、ヘッダーカードであることを表示し読取認識される第１の表示部を有するとともに、前記複数の紙葉類の情報を表示し前記第１の表示部が読取認識されるのに基づいて読み取られる第２の表示部を有するヘッダーカードにおいて、前記複数の紙葉類群の紙葉類と物理的特性を異にする。
【発明の効果】
【００１５】
本発明によれば、ヘッダーカードによって区切られる口座単位がなくなることがなく、リジェクト処理ステーションでの手入力作業が容易となり処理効率を向上できる。
【００１６】
また、ヘッダーカードと紙葉類との分別が容易となり、リジェクト処理ステーションでの手入力処理時における入力ミスを減少できる。
【発明を実施するための最良の形態】
【００１７】
以下、図面を参照して本発明の実施例を説明する。  
【実施例１】
【００１８】
図１は本発明の実施例１による紙葉類処理装置としての紙幣整理機１の内部構成を概略的に示すものである。
【００１９】
紙幣整理機１は装置本体１ａを有し、この装置本体１ａの一側部側には紙葉類としての紙幣（以下、券と称することもある）を投入する投入部２が設けられている。この投入部２には投入される複数枚の重合紙幣Ｐａを立位状態で載置するセット部としての載置トレイ３が設けられている。この載置トレイ３には重合紙幣Ｐａを押出す押出プレート５が設けられ、この押出プレート５はバネ材６によって弾性的に付勢されている。重合紙幣Ｐａの押出方向には紙幣を取り込むための取込部８が設けられている。取込部８はピックアップローラ９、取出ローラ１０、及び分離ローラ７を有して構成されている。
【００２０】
取出ローラ１０によって取り出される紙幣は第１の搬送経路（搬送手段）１１に沿って搬送される。この第１の搬送経路１１は複数個のローラ１２と、これらローラ１２に掛け渡された搬送ベルト１３，１３とによって構成されている。この第１の搬送経路１１の券搬出側には、紙幣Ｐの金種、表裏、真偽等を識別するとともに、後述するヘッダーカード４１の第１の表示部としての標識部６０を読み取って認識する処理手段としての処理部１５が設けられている。処理部１５の搬出側には正券を第１の方向、リジェクト券を第２の方向に切り替える第１の切替ゲートＧ１が設けられている。第２の方向に送られるリジェクト券はリジェクト庫１６に回収されるようになっている。第１の切替ゲートＧ１によって切り替えられる第１の方向には第２の切替ゲートＧ２が設けられている。この第２の切替ゲートＧ２によって券の搬送方向が第３及び第４の方向に切り替えられる。第３の方向には表向きの券を搬送する第２の搬送経路１８が設けられ、第４の方向には裏向きの券を搬送して反転部１９で反転させる第３の搬送経路２１が設けられている。
【００２１】
第２の搬送経路１８と第３の搬送経路２１とは合流部２３で合流され、合流部２３の券搬出側には第３の切替ゲートＧ３が設けられている。第３の切替ゲートＧ３は券の搬送方向を結束部２５側及び集積部２６側へ切り替えるものである。集積部２６には複数個の集積庫２８ａ〜３３ａが水平方向に配設されている。複数個の集積庫２８ａ〜３３ａの下部側には集積紙幣を収納させるカセット２８ｂ〜３３ｂが配設されている。また、複数個の集積庫２８ａ〜３３ａの上部側には券をその券種毎に集積庫２８ａ〜３３ａへ案内する第５乃至第９の切替ゲートＧ５〜Ｇ９が配設されている。
【００２２】
結束部２５には券の搬送方向を第５及び第６の方向に切り替える第４の切替ゲートＧ４が設けられている。第５の方向には第１の集積庫３５が設けられ、第６の方向には第２の集積庫３６が設けられている。第１及び第２の集積庫３６の下部側には第１及び第２の集積庫３５，３６に集積された券を結束位置３７へ搬送する搬送機構３９が設けられている。結束位置３７の近傍には結束テープを供給する供給リール３８が設けられている。
【００２３】
次に、上記した紙幣整理機の処理動作について説明する。
【００２４】
まず、紙幣整理機の操作部（図示しない）によって計数分類処理モード或いは、結束処理モードを設定する。
【００２５】
この状態から取込部８のピックアップローラ９、取出ローラ１０、及び分離ローラ７を回転駆動する。これにより、図２に示すように紙幣Ｐが一枚づつ取込まれて供給される。この紙幣Ｐは第１の搬送経路１１を介して処理部１５へ送られて識別される。処理部１５でリジェクトすべきものであると識別された紙幣は第１の切替ゲートＧ１を介してリジェクト庫１６へリジェクトされる。処理部１５で正券と識別され、かつ反転する必要ないと識別された紙幣は第２の切替ゲートＧ２を介して第２の搬送経路１８へ送られて搬送される。処理部１５で正券と識別され、かつ反転する必要があると識別された紙幣は第２の切替ゲートＧ２を介して第３の搬送経路２１へ送られて反転されて搬送される。これら紙幣は合流部２３を通過して第３の切替ゲートＧ３へ向かって搬送される。
【００２６】
上記した操作部によって、例えば、計数分類処理モードが設定された場合には、第３の切替ゲートＧ３の切替動作によって紙幣は集積部２６の方向に搬送され、切替ゲートＧ５〜Ｇ９の切替動作によりその券種に応じた集積庫２８ａ（〜３３ａ）に区分集積される。集積庫２８ａ（〜３３ａ）に紙幣が所定枚数集積されると、図示しない押込機構によって集積紙幣はカッセト２８ｂ（〜３３ｂ）内に押し込まれて収納される。
【００２７】
また、操作部によって、結束処理モードが設定された場合には、第３の切替ゲートＧ３の切替動作によって紙幣は結束部２５の第４の切替ゲートＧ４の方向に搬送され、切替ゲートＧ４の切替動作によりその第１或いは第２の集積庫３５，３６に集積される。第１或いは第２の集積庫３５，３６に紙幣が所定枚数集積されると、搬送機構３９により結束位置３７に搬送されて結束テープ３８ａにより結束される。
【００２８】
図３は上記した投入部２の載置トレイ３上に立位状態でセットされる重合紙幣Ｐａを示すものである。
【００２９】
重合紙幣Ｐａは第１の紙幣群Ｐ１と第２の紙幣群Ｐ２とからなる。第１の紙幣群Ｐ１と第２の紙幣群Ｐ２の先頭にはヘッダーカード４１が重ね合わされている。ヘッダーカード４１の中央部には通番情報となる第２の表示部としてのバーコード４１ａが印刷されている。
【００３０】
一方、上記した処理部１５の券排出側には図４に示すようにヘッダーカード４１のバーコード４１aを読み取るための読取手段としてのバーコードリーダ４５が設けられている。バーコードリーダ４５及び処理部１５は、制御部５０を介してデータベースサーバー５３に接続されている。
【００３１】
ヘッダーカード４１は、紙幣の取り込みに先立って取り込まれ、処理部１５を通過後、バーコードリーダ４５によってその識別情報としてのバーコード番号が読み取られる。このヘッダーカード４１は、第１の切替ゲートＧ１を介してリジェクト庫１６に送られる。また、ヘッダーカード４１に続いて取り込まれた紙幣が処理部１５でリジェクトすべきものと判別された場合には、リジェクト庫１６にリジェクトされ、この紙幣は対応するヘッダーカード４１の上に集積される。
【００３２】
また、処理部１５で処理された紙幣群Ｐ１,Ｐ２の金額、枚数等のデータはヘッダーカード番号と対応して後述するデータベースサーバー５３に書き込まれる。
【００３３】
図５はヘッダーカードの処理システムを示す構成図である。
【００３４】
この処理システムは準備ステーション５１を有し、これら準備ステーション５１は信号回路を介してデータベースサーバー５３に接続されている。また、データベースサーバー５３には上記した紙幣整理機１が接続されているとともに、リジェクト処理ステーション５４が接続されている。
【００３５】
準備ステーション５１は、ヘッダーカードの番号をバーコードリーダ５１ａで読取り、口座番号（バーコード使用の場合有り）、伝票金額、入金紙幣の枚数を入力（オプショナル）し、このデータをデータベースサーバー５３へ送信するとともに、オペレータ番号を入力するものである。
【００３６】
紙幣処理機１は、上記したように紙幣計数、券種分け、方向合わせ、結束、ヘッダーカードの読取（搬送中に実施）、データのデータベースサーバー５３への送信を行うものである。
【００３７】
リジェクト手入力ステーション５４は、ヘッダーカード番号の読取および手入力、紙幣枚数の入力、偽券情報の入力（券が偽券の場合に、その旨を登録）を行うものである。
【００３８】
データベースサーバー５３はデータベース機能、合算照合機能、及び印刷機能を有する。
【００３９】
データベース機能は、ヘッダーカード番号をキーとして下記データを保持する。
【００４０】
すなわち、カウント番号、伝票金額、機械計数紙幣枚数（複数回登録可能）、手入力紙幣枚数（複数回登録可能）、偽券枚数、コメント文言を保持する。
【００４１】
合算、照合機能は、複数回の機械計数枚数および手入力枚数を合算し、伝票金額との照合を行う。
【００４２】
印刷機能は、合算、照合結果を印刷する。
【００４３】
次に、上記したヘッダーカードの処理作業手順について説明する。
【００４４】
まず、オペレータは準備ステーション５１において、カード収納部から1枚目のヘッダーカード４１を取り出し、このヘッダーカード４１の番号をバーコードリーダ５１ａで読み取る。こののち、顧客から送られてきた入金袋を開封して紙幣群を取り出し、この紙幣群の先頭に上記した１枚目のヘッダーカード４１を重ね合わせて紙幣整理機１の投入部２の載置トレイ３上に立位状態で載置する。
【００４５】
ついで、入金袋の伝票に記載されている口座番号（または封筒番号）および金額を準備ステーション５１で入力する。上記した動作を載置トレイ３が満杯になるまで繰り返す。準備ステーション５１で入力されたデータはデータベースサーバー５３に送信されて登録される。
【００４６】
このようにして準備ステーション５１での準備が終了したのち、上記した紙幣整理機１を動作させる。この紙幣整理機１の動作は上記した通りであり、その計数データ及びヘッダーカード番号などはデータベースサーバー５３に送信されて登録される。
【００４７】
一方、リジェクト庫１６にリジェクトされたリジェクト券はヘッダーカード４１との順番が狂わないように注意して別途用意した図示しないトレイに順次収納する。そして、このトレイ内に収納されたリジェクト券を再度、紙幣整理機の載置トレイ３上にセットして取り込み処理する。この処理によって得られた計数データ及びヘッダーカード番号はデータベースサーバー５３に送信されて登録される。
【００４８】
また、上記したリジェクト券の処理動作時に再度リジェクトされた券はリジェクト手入力ステーション５４で手計数によって入力される。このとき、同時にヘッダーカードの番号をバーコードリーダ５４ａで読み込む。
【００４９】
このようにして全てのリジェクト券の処理を終えたら、データベースサーバー５３で計数合算開始操作を行う。これにより、データベースサーバー５３に登録されたデータがヘッダーカード番号をキーとして口座番号毎に合算され、計数値が計算される。
【００５０】
ところで、ヘッダーカード４１には上記したように通番情報となる第２の表示部としてのバーコード４１ａが印刷されているとともに、図６に示すように第１の表示部としての標識部６０が印刷されている。この標識部６０はヘッダーカード４１を「ヘッダーカード」と認識させるためのものである。標識部６０が処理部１５で読み取られてヘッダーカードであると認識されたときのみバーコードリーダ４５によってヘッダーカード４１のバーコード４１ａが読み取られるようになっている。
【００５１】
ヘッダーカード４１のバーコード４１ａ及び標識部６０は、ヘッダーカード４１の両面部にそれぞれ印刷されている。バーコード４１ａはヘッダーカード４１の中央部に印刷され、標識部６０はヘッダーカード４１の重心に対して点対称に配置されている。
【００５２】
これにより、ヘッダーカード４１がその表裏を逆向きの状態でセットされても、或いは、天地が逆向きの状態でセットされても、標識部６０を処理部１５で読み取ることができ、また、バーコード４１ａをバーコードリーダ４５で読み取ることができるようになっている。標識部６０はバーコードで、光学的に特徴を持った反射率を有し、或いは、磁気的な特徴を持った磁気量を有する。
【００５３】
標識部６０は処理部１５の光学的なセンサあるいは磁気センサで読み取られ、処理部１５でヘッダーカード４１の標識部６０が読み取られて「ヘッダーカード」と認識された媒体のみが装置内のバーコードリーダ４５で読み取られたバーコード情報を上位のデータベースサーバ５３に上げるシステムとなっている。即ち、標識部６０はヘッダーカード上のバーコード認識の精度を上げるためのものである。
【００５４】
前述したように、準備ステーション５１では、図３に示すように口座情報毎の入金紙幣群４２とその口座情報とが関連付けられたヘッダーカード４１を並べる作業が行われる。
【００５５】
例えば、従来のようにバーコード４１ａや標識部６０がヘッダーカード４１の片面にしか無かったり、ヘッダーカード４１の重心に対し点対称の位置に無い場合、準備ステーション５１での作業時にヘッダーカード４１の向きを間違えると紙幣整理機１においてヘッダーカード４１上の標識部６０を処理部１５で読み取れなくなる。
【００５６】
この場合には、ヘッダーカード４１によって区切られる口座単位が無くなってしまい、次のヘッダーカード４１の標識部６０が認識されてバーコード情報が読み取られるまでの入金処理は、全てリジェクト手入金処理ステーション５４での手入力作業となり処理効率が大きく低下する。
【００５７】
しかしながら、この実施の形態では上記したように、ヘッダーカード４１の両面にバーコード４１ａ及び標識部６０を配置するとともに、標識部６０をカード重心に対し点対称に配置するため、ヘッダーカード４１がその表裏、及び天地が逆向きの状態でセットされたとしても、処理部１５でヘッダーカード４１の標識部６０を読み取り認識できるとともに、バーコードリーダ４５によってヘッダーカード４１のバーコード情報が読み取ることができる。
【００５８】
従って、リジェクト手入金処理ステーション５４での手入力作業が軽減できるとともに、準備ステーション５１においてもカードの方向を全くに気にすることなく準備作業ができ、処理効率を大幅に向上することができる。
【実施例２】
【００５９】
図７は、本発明の実施例２によるヘッダーカード６５を示す斜視図である。
【００６０】
この実施例２では、ヘッダーカード６５の外形寸法が紙葉類の外形寸法よりも大きく形成されている。即ち、ヘッダーカード６５の矢印で示す搬送方向の寸法が紙葉類の搬送方向の寸法より大きく形成されている。
【００６１】
リジェクト庫１６にリジェクトされた券はヘッダーカード６５とともにリジェクト庫１６から取り出されてリジェクト手入力ステーション５４で各バッチ毎にリジェクト券を分別し、その枚数を手入力する。
【００６２】
紙幣整理機１で取り込まれたヘッダーカード６５はリジェクトされた券Ｐと共にリジェクト庫１６に順次搬送、集積される。従って、各バッチ（口座単位）毎のリジェクト券Ｐは図７に示すように各バッチのヘッダーカード６１によって区切られることとなり、リジェクト手入力ステーション５４で各バッチ毎のリジェクト券を分別し枚数を手入力することが出来る。
【００６３】
しかしながら、ヘッダーカード４１とリジェクト券Ｐの物理的特長が類似していると、各バッチ毎のリジェクト券を正確に分別することが困難となり、リジェクト枚数の誤入力による処理効率の大幅低下の原因となる恐れがある。
【００６４】
この実施例２によれば、上記したようにヘッダーカード６５の外形寸法を紙幣あるいはカジノチケット等の入金処理媒体の外形寸法と大きく変えるため、容易にバッチの区切りを認識できることになり、リジェクト枚数手入力の信頼性を上げることが出来る。
【００６５】
また、ヘッダーカード６５の外形寸法の内、搬送方向の寸法を入金媒体よりも大きくするため、取込部８の幅を大きくする必要が無く、搬送方向と直交する方向の位置ズレ量を低減することができ、信頼性を保ちつつ入金処理効率を上げることができる。
【実施例３】
【００６６】
図８は本発明の実施例３によるヘッダーカード７０を示すものである。
【００６７】
このヘッダーカード７０は、その剛性（厚さ、密度など）が紙幣あるいはカジノチケット等の入金処理媒体の剛性よりも１．５倍程度大きくされている。
【００６８】
この実施例３によれば、リジェクト処理媒体であるヘッダーカード７０及びリジェクト券Ｐを手に持った際に媒体の変形量が異なり、容易にバッチ毎のリジェクト媒体を認識でき、リジェクト枚数手入力の信頼性を向上することが出来る。
【実施例４】
【００６９】
図９は本発明の実施例４によるヘッダーカード７５を示すものである。
【００７０】
この実施例４のヘッダーカード７５は上記した実施例２のヘッダーカード６５と同様に外形寸法がリジェクト券Ｐの外形寸法よりも大きくされるとともに、その標識部６０が図１０に示すように触覚識別用の凹版印刷あるいは押出エンボス状の突起６０ａを設けることにより形成されている。
【００７１】
この実施例４によれば、ヘッダーカード７５とリジェクト券との分別が容易となるとともに、触覚的特長を持つため、オペレータが弱視者でも取り扱いが容易となる利点がある。
【００７２】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００７３】
【図１】本発明の実施例１による紙幣整理装置を示す構成図。
【図２】図１の紙幣整理装置の紙幣取込動作を示す図。
【図３】図１の紙幣整理装置の投入部に投入される重合紙幣群を示す斜視図。
【図４】図１の紙幣整理装置の紙幣取込部からリジェクト庫までの構成を示す図。
【図５】図１の紙幣整理装置で用いられるヘッダーカードの処理システムを示す図。
【図６】図１の紙幣整理装置で用いられるヘッダーカードを示す正面図。
【図７】本発明の実施例２によるヘッダーカードを示す斜視図。
【図８】本発明の実施例３によるヘッダーカードを示す側面図。
【図９】本発明の実施例４によるヘッダーカードを示す斜視図。
【図１０】図９のヘッダーカードの標識部を示す側面図。
【符号の説明】
【００７４】
３…載置トレイ（セット部）、Ｐ…紙幣／券（紙葉類）、Ｐ１，Ｐ２…紙葉類、１５…処理部（処理手段）、１６…リジェクト庫、４１ａ…バーコード番号（第２の表示部）、４１…ヘッダーカード、４５…バーコードリーダ（読取手段）、６０…標識部（第１の表示部）。
【図１】
2007140940.tif 000003
【図２】
2007140940.tif 000004
【図３】
2007140940.tif 000005
【図４】
2007140940.tif 000006
【図５】
2007140940.tif 000007
【図６】
2007140940.tif 000008
【図７】
2007140940.tif 000009
【図８】
2007140940.tif 000010
【図９】
2007140940.tif 000011
【図１０】
2007140940.tif 000012